(57)【要約】【課題】モニター付きミラーをかご室内で簡単に開閉可能に据え付けることができる乗りかご、および、モニター付きミラー据付方法を提供することを課題とする。【解決手段】乗りかごは、枠状壁面部材１２の枠内側に取り付けられたモニター付きミラー１６をかご室側へ開閉可能に備える。モニター付きミラー１６は、回動軸の下方端側から突出する第１軸部材と、回動軸の上方端側から突出する第２軸部材２２とを備える。枠状壁面部材１２は、第１軸部材を支える第１軸受部材と、第２軸部材２２を支える第２軸受部材２８とを備える。そして、第１軸部材が第１軸受部材に斜め方向から差し込まれつつ第１軸受部材に軸支され、第２軸部材２２が第２軸受部材２８に軸支され得るように、モニター付きミラー１６の本体上面１６ｕから第２軸部材２２の先端までの長さが可変にされている。【選択図】  図７
2019104560.tif 000002
【特許請求の範囲】
【請求項１】
かご室の一面を上下左右の各側板部材で枠状に構成する枠状壁面部材と、
前記枠状壁面部材の枠内側に取り付けられて前記かご室の一面を構成するモニター付きミラーと、
前記モニター付きミラーを、かご上下方向に沿った回動軸回りにかご室側へ開閉可能に支持する開閉機構と、を備え、
前記モニター付きミラーは、前記回動軸の一方端側から突出する第１軸部材と、前記回動軸の他方端側から突出する第２軸部材とを備え、
前記枠状壁面部材は、前記第１軸部材を支える第１軸受部材と、前記第２軸部材を支える第２軸受部材とを備え、
前記第１軸部材、前記第２軸部材、前記第１軸受部材、および、前記第２軸受部材は前記開閉機構を構成しており、
前記モニター付きミラーの前記第１軸部材が前記第１軸受部材に斜め方向から差し込まれつつ前記第１軸部材が前記第１軸受部材に軸支され、前記第２軸部材が前記第２軸受部材に軸支され得るように、前記モニター付きミラー本体から前記第２軸部材の先端までの長さが可変にされていることを特徴とする乗りかご。
【請求項２】
前記第１軸部材が前記モニター付きミラーの下部に配置され、
前記第２軸部材が前記モニター付きミラーの上部に配置されていることを特徴とする請求項１に記載の乗りかご。
【請求項３】
前記モニター付きミラーは、前記第２軸部材の上端高さの下限値を規制する規制部材を備え、
前記第２軸部材には、第２軸部材本体から第２軸部材サイド方向に突出する被把持部が設けられ、高さ位置が調整された前記第２軸部材の被把持部下方側に前記規制部材が配置されることを特徴とする請求項２に記載の乗りかご。
【請求項４】
前記第２軸部材の下側に当接して前記第２軸部材を上方へ付勢する圧縮コイルバネを備えることを特徴とする請求項３に記載の乗りかご。
【請求項５】
前記第２軸部材には、第２軸部材本体から第２軸部材サイド方向に突出する被把持部が設けられ、
前記被把持部には、側方から規制部材を挿通させる挿通孔が形成されていることを特徴とする請求項２に記載の乗りかご。
【請求項６】
前記モニター付きミラーは、前記第２軸部材を上下方向に移動可能に支えるシャフトホルダーを備え、
前記シャフトホルダーには、前記被把持部が上下方向に移動可能に挿通する切欠きが形成されていることを特徴とする請求項３〜５の何れか１項に記載の乗りかご。
【請求項７】
回動軸の一方端側から突出する第１軸部材と前記回動軸の他方端側から突出する第２軸部材とが配置され、モニター付きミラー本体から前記第２軸部材の先端までの長さが可変にされているモニター付きミラーを用い、
かご室の一面を上下左右の各側板部材で枠状に構成する枠状壁面部材の下部の枠内側に配置された第１軸受部材に前記第１軸部材を斜め方向から差し込みつつ、前記モニター付きミラーをかご床面に直交するように起立させ、
前記長さを増大させて、前記枠状壁面部材の上部の枠内側に配置された第２軸受部材に前記第２軸部材を軸支させることで、
前記モニター付きミラーをかご室側へ開閉可能に据え付けることを特徴とするモニター付きミラー据付方法。
【発明の詳細な説明】
【技術分野】
【０００１】
本発明の実施形態は、乗りかご、および、モニター付きミラー据付方法に関する。
【背景技術】
【０００２】
エレベータでは、かご室内に開き戸を設置する場合がある。例えば、保守メンテナンス時に操作を行うスイッチボックス、緊急停止時に隣の乗りかごへ移動するための非常救出口、交換や修理を目的として開き戸の構成としたモニターシステム、宣伝広告や装飾映像等のコンテンツ（以下、「映像コンテンツ」とも称する）を表示する液晶表示装置が例として挙げられる。
【０００３】
そして最近では、エレベータのかご室を有効利用するために、かご室を構成する壁面にモニター付ミラー（ミラーサイネージ）を設置することがある。
【先行技術文献】
【特許文献】
【０００４】
【特許文献１】特開平８−２５９１４９号公報
【発明の概要】
【発明が解決しようとする課題】
【０００５】
ところで、モニター付きミラーを乗りかごに据え付ける際には、乗りかご外側からの作業が必要となる。このため、作業性が悪くて作業時間が増大するという難点がある。そしてモニター付きミラーの重量が大きい場合には、この難点が顕著となる。
【０００６】
本発明は上記事情に鑑みてなされたものであり、モニター付きミラーをかご室内で簡単に開閉可能に据え付けることができる乗りかご、および、モニター付きミラー据付方法を提供することを課題とする。
【課題を解決するための手段】
【０００７】
実施形態に係る乗りかごは、かご室の一面を上下左右の各側板部材で枠状に構成する枠状壁面部材と、枠状壁面部材の枠内側に取り付けられてかご室の一面を構成するモニター付きミラーと、モニター付きミラーを、かご上下方向に沿った回動軸回りにかご室側へ開閉可能に支持する開閉機構と、を備える。モニター付きミラーは、回動軸の一方端側から突出する第１軸部材と、回動軸の他方端側から突出する第２軸部材とを備える。枠状壁面部材は、第１軸部材を支える第１軸受部材と、第２軸部材を支える第２軸受部材とを備える。第１軸部材、第２軸部材、第１軸受部材、および、第２軸受部材は開閉機構を構成している。そして、モニター付きミラーの第１軸部材が第１軸受部材に斜め方向から差し込まれつつ第１軸部材が第１軸受部材に軸支され、第２軸部材が第２軸受部材に軸支され得るように、モニター付きミラー本体から第２軸部材の先端までの長さが可変にされている。
【０００８】
また、実施形態に係るモニター付きミラー据付方法は、回動軸の一方端側から突出する第１軸部材と回動軸の他方端側から突出する第２軸部材とが配置され、モニター付きミラー本体から第２軸部材の先端までの長さが可変にされているモニター付きミラーを用いる。かご室の一面を上下左右の各側板部材で枠状に構成する枠状壁面部材の下部の枠内側に配置された第１軸受部材に第１軸部材を斜め方向から差し込みつつ、モニター付きミラーをかご床面に直交するように起立させる。そして、上記長さを増大させて、枠状壁面部材の上部の枠内側に配置された第２軸受部材に第２軸部材を軸支させる。これによって、モニター付きミラーをかご室側へ開閉可能に据え付ける。
【図面の簡単な説明】
【０００９】
【図１】第１実施形態で、（ａ）はモニター付きミラーに映像を表示していない状態を説明する説明図、（ｂ）はモニター付きミラーに映像を表示している状態を示す説明図。
【図２】第１実施形態でモニター付きミラーが開閉可能に取り付けられていることを示す斜視図。
【図３】第１実施形態で、モニター付きミラー上部と枠状壁面部材の上部との軸支構造を示す展開斜視図。
【図４】第１実施形態で、モニター付きミラー下部と枠状壁面部材の下部との軸支構造を示す展開斜視図。
【図５】第１実施形態で、モニター付きミラーをかご室壁面に取り付ける手順を示す説明図。
【図６】第１実施形態で、（ａ）は、かご室壁面に取り付ける手順を示す説明図、（ｂ）は（ａ）のＡを説明するための部分拡大断面図。
【図７】第１実施形態で、（ａ）は、かご室壁面に取り付ける手順を示す説明図、（ｂ）は（ａ）のＢを説明するための部分拡大断面図。
【図８】第２実施形態で要部を示す展開斜視図。
【図９】第２実施形態で、（ａ）は第２軸部材を下降させた状態を示す側面断面図、（ｂ）は第２軸部材を上昇させた状態を示す側面図。
【図１０】第３実施形態の要部を示す展開斜視図。
【図１１】第３実施形態の要部を示す斜視図。
【発明を実施するための形態】
【００１０】
以下、添付図面を参照して、実施形態に係る乗りかごおよびモニター付きミラー据付方法を説明する。なお、第２実施形態以下では、第１実施形態で説明した構成要素と同様の構成要素には同じ符号や同じ名称を用いてその説明を適宜に省略する。
【００１１】
図１で、（ａ）はモニター付きミラーに映像を表示していない状態を説明する説明図であり、（ｂ）はモニター付きミラーに映像を表示している状態を示す説明図である。図２は、モニター付きミラーが開閉可能に取り付けられていることを示す斜視図である。
【００１２】
図１、図２に示すように、エレベータを構成する本実施形態に係る乗りかご１０は、かご室Ｓの一面を上下左右の各側板部材で枠状に構成する枠状壁面部材１２と、枠状壁面部材１２の枠内側に取り付けられてかご室Ｓの一面を構成するモニター付きミラー１６（ミラーサイネージ）と、モニター付きミラー１６をかご上下方向に沿った回動軸回りにかご室側へ開閉可能に支持する開閉機構１８とを備える。
【００１３】
モニター付きミラー１６は、回動軸１６ｅ（図２〜図４では、かご室から見て右側縁部に回動軸１６ｅが存在する）の下方端側から突出する第１軸部材２０（図４参照）と、回動軸１６ｅの上方端側から突出する第２軸部材２２（図３参照）とを備える。
【００１４】
枠状壁面部材１２は、第１軸部材２０を支える第１軸受部材２６（図４参照）と、第２軸部材２２を支える第２軸受部材２８（図３参照）とを備える。そして開閉機構１８は、モニター付きミラー１６をかご床面に直交する軸回りに回動可能に軸支している。
【００１５】
（開閉機構）
第１軸部材２０、第２軸部材２２、第１軸受部材２６、および、第２軸受部材２８は、開閉機構１８を構成している。
【００１６】
ここで、モニター付きミラー１６は、本体上面１６ｕにネジ等で固定されたシャフトホルダー３２を備える。シャフトホルダー３２は、第２軸部材２２を上下方向に移動可能に支える案内部３２ｇを有する。更に、モニター付きミラー１６は、第２軸部材２２の上端高さの下限値を規制するピン状の規制部材３４を備えており、シャフトホルダー３２には、規制部材３４が挿通する挿通孔３２ｈが形成されている。シャフトホルダー３２および規制部材３４も開閉機構１８を構成している。
【００１７】
また、第２軸部材２２には、第２軸部材本体から第２軸部材サイド方向に突出する被把持部２２ｐが設けられており、シャフトホルダー３２には、被把持部２２ｐが上下方向に移動可能となるように切欠き３２ｑが形成されている。
【００１８】
このような構成により、少なくとも規制部材３４が外された状態では、本体上面１６ｕ（モニター付きミラー本体）から第２軸部材２２の先端までの長さｄが可変にされており、第１軸部材２０が第１軸受部材２６に斜め方向から差し込まれつつ第１軸部材２０が第１軸受部材２６に軸支されて（すなわち、モニター付きミラー１６がかご床面に直交するように立てられて）、第２軸部材２２が第２軸受部材２８に軸支され得る構成になっている。
【００１９】
そして、モニター付きミラー１６の据付前では、被把持部２２ｐが規制部材３４の下方に位置しており、規制部材３４によって第２軸部材２２の落下防止がなされ（図６（ｂ）参照）、モニター付きミラー１６の据付後では、被把持部２２ｐが規制部材３４の上側に当接し、第２軸部材２２の上端高さの下限値が規制される（図７（ｂ）参照）構成になっている。
【００２０】
（作用、効果）
本実施形態で乗りかごにモニター付きミラー１６を据え付けるには、乗りかごの大部分が組み立てられた段階で、すなわち、後施工の段階で乗りかご内にモニター付きミラー１６を搬入する。このモニター付きミラー１６には、回動軸１６ｅの下部に第１軸部材２０を予め取付けておき、この回動軸１６ｅの上部には、シャフトホルダー３２、第２軸部材２２、および規制部材３４を予め取付けておく。また、枠状壁面部材１２に、第１軸受部材２６および第２軸受部材２８を予め取付けておく。
【００２１】
そして、モニター付きミラー１６の第１軸部材２０を第１軸受部材２６に斜め方向から差し込みつつ（図５参照）、モニター付きミラー１６を上下方向に起立させる（図６参照）。
【００２２】
そして、規制部材３４をシャフトホルダー３２の挿通孔３２ｈから抜き去り、被把持部２２ｐを摘まんで第２軸部材２２の高さ位置を上げ（すなわち長さｄを増大させ）、第２軸部材２２を、枠状壁面部材１２の枠内上部に配置された第２軸受部材２８に差し込む。更に、規制部材３４を挿通孔３２ｈに差し込む（図７参照）。
【００２３】
この結果、第２軸部材２２は自重により下方へ移動し、被把持部２２ｐが規制部材３４に当接することで、第２軸部材２２の高さ位置が決まる。この高さ位置は、第２軸部材２２が第２軸受部材２８に問題なく軸支される下限値以上の高さ位置となるように、挿通孔３２ｈの位置が予め決められている。
【００２４】
この後、モニター付きミラー１６を枠状壁面部材内側の設置位置にまで回転移動させて、モニター付きミラー１６を閉の状態にする。
【００２５】
以上説明したように、本実施形態では、モニター付きミラー１６の第１軸部材２０が第１軸受部材２６に斜め方向から差し込まれつつ第１軸部材２０が第１軸受部材２６に軸支され、第２軸部材２２が第２軸受部材２８に軸支され得るように、本体上面１６ｕから第２軸部材２２の先端までの長さｄ（図６（ｂ）、図７（ｂ）参照）が可変にされている。従って、モニター付きミラー１６をかご室内で簡単に開閉可能に据え付けることができる。
【００２６】
また、モニター付きミラー１６は、第２軸部材２２の上端高さの下限値を規制する規制部材３４を備えている。そして、第２軸部材２２には、第２軸部材本体から第２軸部材サイド方向に突出する被把持部２２ｐが設けられ、高さ位置が調整された第２軸部材２２の被把持部下方側に規制部材３４が配置されている。これにより、簡単な構成で第２軸部材２２の上端高さの下限値を規制することができる。
【００２７】
また、モニター付きミラー１６は、第２軸部材２２を上下方向に移動可能に支えるシャフトホルダー３２を備えており、シャフトホルダー３２には、被把持部２２ｐが上下方向に移動可能に挿通する切欠き３２ｑが形成されている。従って、被把持部２２ｐが長尺状であっても第２軸部材２２を簡単でコンパクトな構成で上下方向に移動可能に支えることができる。
【００２８】
なお、本実施形態では、モニター付きミラー１６の上部に、第２軸部材２２、シャフトホルダー３２、規制部材３４が配置された例で説明したが、モニター付きミラー１６の下部に第２軸部材２２、シャフトホルダー３２、規制部材３４が配置しても、同様の効果を奏することが可能である。
【００２９】
［第２実施形態］
次に、第２実施形態を説明する。図８、図９に示すように、本実施形態に係る乗りかごは、第１実施形態に比べ、シャフトホルダー３２内に配置され第２軸部材２２の下側に当接して第２軸部材２２を上方へ付勢する圧縮コイルバネ４４と、第２軸部材２２が圧縮コイルバネ４４の付勢力によってシャフトホルダー３２から飛び出すことを防止するストッパ４６とを備える。
【００３０】
第２軸部材２２は、圧縮コイルバネ４４を挿通している円柱状（あるいは円筒状）の下延出し部２２ｖと、下延出し部２２ｖの上側に連続する中央部２２ｃと、中央部２２ｃの上側から延び出す上延出し部２２ｕとを有する。ストッパ４６には、上延出し部２２ｕよりも径が大きく、中央部２２ｃよりも径が小さい開口４６ｍが形成されている。
【００３１】
下延出し部２２ｖ、中央部２２ｃ、上延出し部２２ｕでは、外径は中央部２２ｃが最も大きくされている。そして、圧縮コイルバネ４４の上端が中央部２２ｃの下側に当接している。また、圧縮コイルバネ４４の付勢力で第２軸部材２２が上端に位置するときには、中央部２２ｃがストッパ４６に当接して上方移動が規制されている。
【００３２】
本実施形態により、第１実施形態で奏される効果に加え、第２軸部材２２を第２軸受部材２８に差し込む作業が大幅に容易になるという効果も奏される。
【００３３】
［第３実施形態］
次に、第３実施形態を説明する。図１０、図１１に示すように、本実施形態に係る乗りかごは、第１実施形態に比べ、被把持部２２ｐの構成が異なる。
【００３４】
被把持部２２ｐには、規制部材３４が挿通する挿通孔２２ｈが形成されている。そして、モニター付きミラーの据付時には、規制部材３４は、シャフトホルダー３２の挿通孔３２ｈに加え被把持部２２ｐの挿通孔２２ｈも挿通する。
【００３５】
本実施形態により、第１実施形態で奏される効果に加え、モニター付きミラーの据付後では第２軸部材２２の固定が更に強固になるという効果も奏される。
【００３６】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３７】
１０…乗りかご、Ｓ…かご室、１２…枠状壁面部材、１６…モニター付きミラー、１８…開閉機構、１６ｅ…回動軸、１６ｕ…本体上面、２０…第１軸部材、２２…第２軸部材、２２ｈ…挿通孔、２２ｐ…被把持部、２２ｖ…下延出し部、２２ｃ…中央部、２２ｕ…上延出し部、２６…第１軸受部材、２８…第２軸受部材、３２…シャフトホルダー、３２ｇ…案内部、３２ｈ…挿通孔、３２ｑ…切欠き、３４…規制部材、４４…圧縮コイルバネ、４６…ストッパ、４６ｍ…開口、ｄ…長さ。
【図１】
2019104560.tif 000003
【図２】
2019104560.tif 000004
【図３】
2019104560.tif 000005
【図４】
2019104560.tif 000006
【図５】
2019104560.tif 000007
【図６】
2019104560.tif 000008
【図７】
2019104560.tif 000009
【図８】
2019104560.tif 000010
【図９】
2019104560.tif 000011
【図１０】
2019104560.tif 000012
【図１１】
2019104560.tif 000013
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
かご室の一面を上下左右の各側板部材で枠状に構成する枠状壁面部材と、
前記枠状壁面部材の枠内側に取り付けられて前記かご室の一面を構成するモニター付きミラーと、
前記モニター付きミラーを、かご上下方向に沿った回動軸回りにかご室側へ開閉可能に支持する開閉機構と、を備え、
前記モニター付きミラーは、前記回動軸の一方端側から突出する第１軸部材と、前記回動軸の他方端側から突出する第２軸部材とを備え、
前記枠状壁面部材は、前記第１軸部材を支える第１軸受部材と、前記第２軸部材を支える第２軸受部材とを備え、
前記第１軸部材、前記第２軸部材、前記第１軸受部材、および、前記第２軸受部材は前記開閉機構を構成しており、
前記モニター付きミラーの前記第１軸部材が前記第１軸受部材に斜め方向から差し込まれつつ前記第１軸部材が前記第１軸受部材に軸支され、前記第２軸部材が前記第２軸受部材に軸支され得るように、前記モニター付きミラー本体から前記第２軸部材の先端までの長さが可変にされていて、
前記第１軸部材が前記モニター付きミラーの下部に配置され、
前記第２軸部材が前記モニター付きミラーの上部に配置されており、
前記モニター付きミラーは、前記第２軸部材の上端高さの下限値を規制する規制部材を備え、
前記第２軸部材には、第２軸部材本体から第２軸部材サイド方向に突出する被把持部が設けられ、高さ位置が調整された前記第２軸部材の被把持部下方側に前記規制部材が配置されることを特徴とする乗りかご。
【請求項２】
前記第２軸部材の下側に当接して前記第２軸部材を上方へ付勢する圧縮コイルバネを備えることを特徴とする請求項１に記載の乗りかご。
【請求項３】
かご室の一面を上下左右の各側板部材で枠状に構成する枠状壁面部材と、
前記枠状壁面部材の枠内側に取り付けられて前記かご室の一面を構成するモニター付きミラーと、
前記モニター付きミラーを、かご上下方向に沿った回動軸回りにかご室側へ開閉可能に支持する開閉機構と、を備え、
前記モニター付きミラーは、前記回動軸の一方端側から突出する第１軸部材と、前記回動軸の他方端側から突出する第２軸部材とを備え、
前記枠状壁面部材は、前記第１軸部材を支える第１軸受部材と、前記第２軸部材を支える第２軸受部材とを備え、
前記第１軸部材、前記第２軸部材、前記第１軸受部材、および、前記第２軸受部材は前記開閉機構を構成しており、
前記モニター付きミラーの前記第１軸部材が前記第１軸受部材に斜め方向から差し込まれつつ前記第１軸部材が前記第１軸受部材に軸支され、前記第２軸部材が前記第２軸受部材に軸支され得るように、前記モニター付きミラー本体から前記第２軸部材の先端までの長さが可変にされていて、
前記第１軸部材が前記モニター付きミラーの下部に配置され、
前記第２軸部材が前記モニター付きミラーの上部に配置されており、
前記第２軸部材には、第２軸部材本体から第２軸部材サイド方向に突出する被把持部が設けられ、
前記被把持部には、側方から規制部材を挿通させる挿通孔が形成されていることを特徴とする乗りかご。
【請求項４】
前記モニター付きミラーは、前記第２軸部材を上下方向に移動可能に支えるシャフトホルダーを備え、
前記シャフトホルダーには、前記被把持部が上下方向に移動可能に挿通する切欠きが形成されていることを特徴とする請求項１〜３の何れか１項に記載の乗りかご。